(57)【要約】      （修正有）【課題】傷の防止とゴミ付着時には、簡単に取り除くことができるようにする。【解決手段】液晶パネル保護に固定クリップのついた透明板で固定することにより、液晶パネルと透明板との間には隙間があり、静電気の発生がないことでゴミの吸着が解消される。外部から力が加わっても保護ボードの厚みと隙間があるため、液晶パネルには直接には影響が及ばない。また、液晶パネル表面に異常を発見した場合は、透明板を簡単に取り外すことが簡単に出来、パネル表面のチェック、処理後再度透明保護板の取り付けも、固定クリップにより簡単に液晶パネルへ取付可能である。【選択図】図１
2009175649.tif 000002
【特許請求の範囲】
【請求項１】
透明樹脂板を液晶パネルにクリップで固定。
【請求項２】
クリップは透明板に固定され、液晶パネルからの取り外しが容易に出来る。
【請求項３】
クリップは液晶パネルの大きさにより透明樹脂板サイズに合わせて、クリップの留め位置を任意に決められる。
【発明の詳細な説明】
【技術分野】
【０００１】  本発明は、液晶パネル製造時の工程の中で出荷前までに、各工程上における液晶パネルの表示面を保護する為の道具として、考案したものである。
【背景技術】
【０００２】
【特許文献１】  既存の液晶パネル製造工程上のパネル保護方法は、薄い樹脂フイルムをパネルに貼り付けていた。その為パネルに何らかの外意的力が加わった時、上にある薄い樹脂を通して液晶パネルにまで、外を及ぼす結果になって、製造の歩留まり率を悪くしていた。
【発明の開示】
【発明が解決しようとする課題】  液晶パネルの表示部に作製工程途上、傷・ゴミの付着を防ぐ必要がある。この傷・ゴミの付着を防止する為に、パネル表面への保護が必須うとなる。
【課題を解決する為の手段】
パネル保護に使用する透明樹脂は数ミリの厚めの板を使用し、パネルと保護板との間には、透明樹脂を液晶パネルに固定するクリップが数ミリのギャップを取っているため、パネル表面には直接当たらないことである。
【発明の効果】
透明樹脂と液晶パネルとの固定クリップを使用することにより、傷の防止とゴミ付着時には、樹脂板とパネルとのギャップによる取り除きが簡単に行える。
【発明を実施する為の最良の形態】
透明保護樹脂を液晶パネルに固定しているクリップは何度でも使用できるような構造にしてあり、且つ液晶パネルと透明保護樹脂との間にはクリップ構造によって、隙間が設けられている。
【実施例】  液晶パネル製造工場にて、テスト的に使用していただきその効果について、最良の評価をいただく。
【産業上の利用可能性】  液晶パネル用だけにとどまらず、透明保護フイルムで保護していたもので、透明樹脂板をクリップで固定して保護できるものには、このクリップを使用することにより最大の効果が発揮できる。
【図面の簡単な説明】  クリップのＡ部に透明樹脂（保護板）を挟み込む、これのクリップを固定に必要な箇所へ任意に取り付ける。Ａ部は保護板の厚みに応じて製作する。このクリップ付保護板のクリップＣ部と液晶パネルの端を差し込み固定する。クリップＣ部はアールになっている為、樹脂保護板は抜き差しが簡単に出来る。
2009175649.tif 000003
【符号の説明】
Ａ部        差込溝（保護板）
Ｂ部        ギャップ確保（液晶パネルと保護板間）
Ｃ部        挟み込み部（液晶パネル縁）
Ｄ部        保護板（液晶パネル面保護板）
【図１】
2009175649.tif 000004
【図２】
2009175649.tif 000005
2009175649.tif 000006
【手続補正書】
【提出日】平成20年5月16日(2008.5.16)
【手続補正２】
【補正対象書類名】明細書
【補正対象項目名】全文
【補正方法】変更
【補正の内容】
【発明の詳細な説明】
【技術分野】
【０００１】  本発明は、液晶パネル製造時の工程の中で出荷前までに、各工程上における液晶パネルの表示面を保護する為の道具として、考案したものである。
【背景技術】
【０００２】
【特許文献１】既存の液晶パネル製造工程上のパネル保護方法は、簿い樹脂フイルムをパネルに貼り付けていた。その為パネルに何らかの外意的力が加わった時、上にある薄い樹脂を通して液晶パネルにまで、外を及ぼす結果になって、製造の歩留まり率を悪くしていた。
【発明の開示】
【発明が解決しようとする課題】液晶パネルの表示部に作製工程途上、傷・ゴミの付着を防ぐ必要がある。この傷・ゴミの付着を防止する為に、パネル表面への保護が必須うとなる。
【課題を解決する為の手段】
パネル保護に使用する透明樹脂は数ミリの厚めの板を使用し、パネルと保護板との間には、透明樹脂を液晶パネルに固定するクリップが数ミリのギャップを取っているため、パネル表面には直接当たらないことである。
【発明の効果】
透明樹脂と液晶パネルとの固定クリップを使用することにより、傷の防止とゴミ付着時には、樹脂板とパネルとのギャップによる取り除きが簡単に行える。
【発明を実施する為の最良の形態】
透明保護樹脂を液晶パネルに固定しているクリップは何度でも使用できるような構造にしてあり、且つ液晶パネルと透明保護樹脂との間にはクリップ構造によって、隙間が設けられている。
【実施例】  液晶パネル製造工場にて、テスト的に使用していただきその効果について、最良の評価をいただく。
【産業上の利用可能性】  液晶パネル用だけにとどまらず、透明保護フイルムで保護していたもので、透明樹脂板をクリップで固定して保護できるものには、このクリップを使用することにより最大の効果が発揮できる。
【図面の簡単な説明】
【図１】  クリップを正面から見た図で、Ａ部に透明樹脂（保護板）を挟み込み固定。
【図２】  クリップを側面から見た図である。
【図３】  クリップを保護板に取り付けた全体図である。
【符号の説明】
Ａ部        差込溝（保護板）
Ｂ部        ギャップ確保（液晶パネルと保護板間）
Ｃ部        挟み込み部（液晶パネル縁）
Ｄ部        保護板（液晶パネル面保護板）
【手続補正３】
【補正対象書類名】図面
【補正対象項目名】全図
【補正方法】変更
【補正の内容】
【図１】
2009175649.tif 000007
【図２】
2009175649.tif 000008
【図３】
2009175649.tif 000009
【手続補正書】
【提出日】平成20年8月1日(2008.8.1)
【手続補正２】
【補正対象書類名】明細書
【補正対象項目名】全文
【補正方法】変更
【補正の内容】
【発明の詳細な説明】
【技術分野】
【０００１】  本発明は、液晶パネル製造時の工程の中で出荷前までに、各工程上における液晶パネルの表示面を保護する為の道具として、考案したものである。
【背景技術】
【特許文献１】
【０００２】  既存の液晶パネル製造工程上のパネル保護方法は、薄い樹脂フイルムをパネルに貼り付けていた。その為パネルに何らかの外意的力が加わった時、上にある薄い樹脂を通して液晶パネルにまで、外を及ぼす結果になって、製造の歩留まり率を悪くしていた。
【発明の開示】
【発明が解決しようとする課題】液晶パネルの表示部に作製工程途上、傷・ゴミの付着を防ぐ必要がある。この傷・ゴミの付着を防止する為に、パネル表面への保護が必須うとなる。
【課題を解決する為の手段】
パネル保護に使用する透明樹脂は数ミリの厚めの板を使用し、パネルと保護板との間には、透明樹脂を液晶パネルに固定するクリップが数ミリのギャップを取っているため、パネル表面には直接当たらないことである。
【発明の効果】
透明樹脂と液晶パネルとの固定クリップを使用することにより、傷の防止とゴミ付着時には、樹脂板とパネルとのギャップによる取り除きが簡単に行える。
【発明を実施する為の最良の形態】
透明保護樹脂を液晶パネルに固定しているクリップは何度でも使用できるような構造にしてあり、且つ液晶パネルと透明保護樹脂との間にはクリップ構造によって、隙間が設けられている。
【実施例】  液晶パネル製造工場にて、テスト的に使用していただきその効果について、最良の評価をいただく。
【産業上の利用可能性】  液晶パネル用だけにとどまらず、透明保護フイルムで保護していたもので、透明樹脂板をクリップで固定して保護できるものには、このクリップを使用することにより最大の効果が発揮できる。
【図面の簡単な説明】
【図１】クリップを正面から見た図で、Ａ部に透明樹脂（保護板）を挟み込み固定。
【図２】クリップを側面から見た図である。
【図３】クリップを保護板に取り付けた全体図である。
【符号の説明】
Ａ部        差込溝（保護板）
Ｂ部        ギャップ確保（液晶パネルと保護板間）
Ｃ部        挟み込み部（液晶パネル縁）
Ｄ部        保護板（液晶パネル面保護板）
【手続補正３】
【補正対象書類名】図面
【補正対象項目名】全図
【補正方法】変更
【補正の内容】
【図１】
2009175649.tif 000010
【図２】
2009175649.tif 000011
【図３】
2009175649.tif 000012